(57)【要約】【課題】  簡単に埋設配管連結枡にセットできて配管の修復中に埋設配管連結枡内の余剰溜水を地上へと汲み上げ排水でき、これにより配管修復中に埋設配管連結枡内に余剰溜水が溜まりすぎて溢れてしまうことを防止できると共に、家庭などから生活排水を行うことも可能となる埋設配管接続用排水装置を提供すること。【解決手段】  地中に埋設した配管１と夫々連設する入水部２と排水部３とを有する接続枡や汚水枡などの埋設配管連結枡４の立設水槽部５内に地上から挿入してこの埋設配管連結枡４内の余剰溜水６を地上へ汲み上げ排水するものであって、立設水槽部５に挿入する排水用パイプ部７と、この排水用パイプ部７を立設水槽部５内に立設保持する保持部８と、排水用パイプ部７の下部に設けた溜水流入部９と、排水用パイプ部７の上部に設けた溜水流出部10と、流入部９から排水用パイプ部７内に流入する埋設配管連結枡４内の余剰溜水６を流出部10へ汲み上げ排出する汲み上げ機構11と、この汲み上げ機構11を駆動する駆動源12とから成る埋設配管接続用排水装置。【選択図】      図３
2006342568.tif 000002
【特許請求の範囲】
【請求項１】
地中に埋設した配管と夫々連設する入水部と排水部とを有する接続枡や汚水枡などの埋設配管連結枡の立設水槽部内に地上から挿入してこの埋設配管連結枡内の余剰溜水を地上へ汲み上げ排水する埋設配管接続用排水装置であって、前記立設水槽部に挿入する排水用パイプ部と、この排水用パイプ部を前記立設水槽部内に立設保持する保持部と、前記排水用パイプ部の下部に設けた溜水流入部と、前記排水用パイプ部の上部に設けた溜水流出部と、前記流入部から前記排水用パイプ部内に流入する前記埋設配管連結枡内の余剰溜水を前記流出部へ汲み上げ排出する汲み上げ機構と、この汲み上げ機構を駆動する駆動源とから成ることを特徴とする埋設配管接続用排水装置。
【請求項２】
前記埋設配管連結枡の立設水槽部の上端開口部から挿入垂下して立設水槽部内に配設する立設水槽部より小径のパイプ径に設定した前記排水用パイプ部の下部に、前記埋設配管連結枡若しくは埋設配管連結枡の前記立設水槽部内の溜水が排水用パイプ部内に流入し得る前記流入部を設け、この排水用パイプ部の上部であって前記立設水槽部外の地上に露出する部分に吐出口として若しくは排出管と連結する連結部として前記流出部を設け、前記汲み上げ機構を前記駆動源により駆動して埋設配管連結枡内の余剰溜水を前記流入部，前記排水用パイプ部及び前記流出部を介して地上へ汲み上げ排水するように構成したことを特徴とする請求項１記載の埋設配管接続用排水装置。
【請求項３】
前記排水用パイプ部内に前記駆動源より回転駆動する回転軸を設け、この回転軸に汲み上げ回転羽根を設けて排水用パイプ部内に配設し、この回転軸の回転による汲み上げ回転羽根の回転によって排水用パイプ部内で汲み上げ力を生じさせて前記流入部より排水用パイプ部内に流入する余剰溜水を汲み上げて前記流出部へ汲み上げ排水するように前記汲み上げ機構を構成したことを特徴とする請求項１，２のいずれか１項に記載の埋設配管接続用排水装置。
【請求項４】
前記立設水槽部と前記排水用パイプ部との間に介在し、立設水槽部内に挿入した排水用パイプ部を立設保持する前記保持部を排水用パイプ部の外周に設けた構成としたことを特徴とする請求項１〜３のいずれか１項に記載の埋設配管接続用排水装置。
【請求項５】
前記埋設配管連結枡若しくは埋設配管連結枡の立設水槽部に前記余剰溜水の水位を検知する汲み上げ始動センサーを設け、この汲み上げ始動センサーにより余剰溜水の水位が所定高さ以上となったことを検知した際に前記汲み上げ機構を駆動して汲み上げ排水を開始する汲み上げ制御機構を備えたことを特徴とする請求項１〜４のいずれか１項に記載の埋設配管接続用排水装置。
【請求項６】
前記埋設配管連結枡若しくは埋設配管連結枡の立設水槽部の前記汲み上げ始動センサーより下方に、前記余剰溜水の水位を検知する汲み上げ停止センサーを設け、この汲み上げ停止センサーにより余剰溜水の水位が所定高さ以下となったことを検知した際に前記汲み上げ機構の駆動を停止して汲み上げ排水を停止するように前記汲み上げ制御機構を構成したことを特徴とする請求項５記載の埋設配管接続用排水装置。
【請求項７】
前記汲み上げ始動センサー若しくは汲み上げ停止センサーは、上下方向に移動調整自在に配設したことを特徴とする請求項５，６のいずれか１項に記載の埋設配管接続用排水装置。
【請求項８】
前記排水用パイプ部の上部に前記立設水槽部の上部開口部を閉塞する閉塞蓋を設ける若しくは閉塞蓋の取付孔に前記排水用パイプ部を挿入配設するように構成し、この閉塞蓋の上部に位置する排水用パイプ部の上部に前記流出部を設け、この排水用パイプ部の上部若しくは排水用パイプ部の上部側部であって閉塞蓋の上方若しくは側部に前記駆動源を配設したことを特徴とする請求項１〜７のいずれか１項に記載の埋設配管接続用排水装置。
【発明の詳細な説明】
【技術分野】
【０００１】
本発明は、地中に埋設された接続枡や汚水枡などの埋設配管連結枡の排水部に連設した排水配管の損傷を修復する際に使用するもので、この損傷配管への排水を停止させた際に、埋設配管連結枡内の余剰溜水を地上へと汲み上げ排水することができる埋設配管接続用排水装置に関するものである。
【背景技術】
【０００２】
下水配管の合流地点等には、入水部と排水部とを有する汚水枡が設けられており、この入水部と排水部とは夫々地中に埋設した配管に連設されていて、入水部から汚水枡に入水した汚水が排水部へと排水されるようになっている。
【発明の開示】
【発明が解決しようとする課題】
【０００３】
このような下水配管構造において、汚水枡の排水部に連設した排水配管が地震等の影響により損傷を生じた場合には、この排水配管の修復に際して汚水枡の排水部からの排水を一時停止しておく必要がある。
【０００４】
そのため、修復中は、その汚水枡を利用する世帯に対して排水を行わないよう勧告がなされ、対象となる世帯の住民は不便を強いられることになる。
【０００５】
また、このような状況でも、修復中に家庭から多量の排水が行われたり、雨樋からの雨水が流入したりする場合があり、排水停止している汚水枡内に汚水が溜まり、汚水枡の上部から汚水が溢れてしまこともあった。
【０００６】
本発明は、このような埋設配管連結枡に連結する配管の修復時の現状に鑑み、簡単に埋設配管連結枡にセットできて配管の修復中に埋設配管連結枡内の余剰溜水を地上へと汲み上げ排水でき、これにより配管修復中に埋設配管連結枡内に余剰溜水が溜まりすぎて溢れてしまうことを防止できると共に、家庭などから生活排水を行うことも可能となる画期的な埋設配管接続用排水装置を提供するものである。
【課題を解決するための手段】
【０００７】
添付図面を参照して本発明の要旨を説明する。
【０００８】
地中に埋設した配管１と夫々連設する入水部２と排水部３とを有する接続枡や汚水枡などの埋設配管連結枡４の立設水槽部５内に地上から挿入してこの埋設配管連結枡４内の余剰溜水６を地上へ汲み上げ排水する埋設配管接続用排水装置であって、前記立設水槽部５に挿入する排水用パイプ部７と、この排水用パイプ部７を前記立設水槽部５内に立設保持する保持部８と、前記排水用パイプ部７の下部に設けた溜水流入部９と、前記排水用パイプ部７の上部に設けた溜水流出部10と、前記流入部９から前記排水用パイプ部７内に流入する前記埋設配管連結枡４内の余剰溜水６を前記流出部10へ汲み上げ排出する汲み上げ機構11と、この汲み上げ機構11を駆動する駆動源12とから成ることを特徴とする埋設配管接続用排水装置に係るものである。
【０００９】
また、前記埋設配管連結枡４の立設水槽部５の上端開口部から挿入垂下して立設水槽部５内に配設する立設水槽部５より小径のパイプ径に設定した前記排水用パイプ部７の下部に、前記埋設配管連結枡４若しくは埋設配管連結枡４の前記立設水槽部５内の溜水が排水用パイプ部７内に流入し得る前記流入部９を設け、この排水用パイプ部７の上部であって前記立設水槽部５外の地上に露出する部分に吐出口として若しくは排出管と連結する連結部として前記流出部10を設け、前記汲み上げ機構11を前記駆動源12により駆動して埋設配管連結枡４内の余剰溜水６を前記流入部９，前記排水用パイプ部７及び前記流出部10を介して地上へ汲み上げ排水するように構成したことを特徴とする請求項１記載の埋設配管接続用排水装置に係るものである。
【００１０】
また、前記排水用パイプ部７内に前記駆動源12より回転駆動する回転軸13を設け、この回転軸13に汲み上げ回転羽根14を設けて排水用パイプ部７内に配設し、この回転軸13の回転による汲み上げ回転羽根14の回転によって排水用パイプ部７内で汲み上げ力を生じさせて前記流入部９より排水用パイプ部７内に流入する余剰溜水６を汲み上げて前記流出部10へ汲み上げ排水するように前記汲み上げ機構11を構成したことを特徴とする請求項１，２のいずれか１項に記載の埋設配管接続用排水装置に係るものである。
【００１１】
また、前記立設水槽部５と前記排水用パイプ部７との間に介在し、立設水槽部５内に挿入した排水用パイプ部７を立設保持する前記保持部８を排水用パイプ部７の外周に設けた構成としたことを特徴とする請求項１〜３のいずれか１項に記載の埋設配管接続用排水装置に係るものである。
【００１２】
また、前記埋設配管連結枡４若しくは埋設配管連結枡４の立設水槽部５に前記余剰溜水６の水位を検知する汲み上げ始動センサー15を設け、この汲み上げ始動センサー15により余剰溜水６の水位が所定高さ以上となったことを検知した際に前記汲み上げ機構11を駆動して汲み上げ排水を開始する汲み上げ制御機構を備えたことを特徴とする請求項１〜４のいずれか１項に記載の埋設配管接続用排水装置に係るものである。
【００１３】
また、前記埋設配管連結枡４若しくは埋設配管連結枡４の立設水槽部５の前記汲み上げ始動センサー15より下方に、前記余剰溜水６の水位を検知する汲み上げ停止センサー16を設け、この汲み上げ停止センサー16により余剰溜水６の水位が所定高さ以下となったことを検知した際に前記汲み上げ機構11の駆動を停止して汲み上げ排水を停止するように前記汲み上げ制御機構を構成したことを特徴とする請求項５記載の埋設配管接続用排水装置に係るものである。
【００１４】
また、前記汲み上げ始動センサー15若しくは汲み上げ停止センサー16は、上下方向に移動調整自在に配設したことを特徴とする請求項５，６のいずれか１項に記載の埋設配管接続用排水装置に係るものである。
【００１５】
また、前記排水用パイプ部７の上部に前記立設水槽部５の上部開口部を閉塞する閉塞蓋17を設ける若しくは閉塞蓋17の取付孔に前記排水用パイプ部７を挿入配設するように構成し、この閉塞蓋17の上部に位置する排水用パイプ部７の上部に前記流出部10を設け、この排水用パイプ部７の上部若しくは排水用パイプ部７の上部側部であって閉塞蓋17の上方若しくは側部に前記駆動源12を配設したことを特徴とする請求項１〜７のいずれか１項に記載の埋設配管接続用排水装置に係るものである。
【発明の効果】
【００１６】
本発明は上述のように構成したから、埋設配管連結枡の排水部からの排水を停止させて配管を修復する際に、埋設配管連結枡内の余剰溜水を上部の流出部へと汲み上げ排出することができるので、適時埋設配管連結枡内の余剰溜水を排出させることで埋設配管連結枡から汚水が溢れ出てしまうことを防止できる上、この修復中に家庭からの排水も行えることになり、しかも、単に地上から埋設配管連結枡内に排水用パイプ部を挿入して保持部で立設水槽部内に立設保持するだけで、埋設配管連結枡に対する本装置の設置作業が完了して余剰溜水を排水可能となるので、既存の汚水枡などに簡単に設置して配管補修作業を行うことが可能であると共に、本装置の撤去作業も容易に行えるなど、極めて実用性に秀れた画期的な埋設配管接続用排水装置となる。
【００１７】
また、請求項２記載の発明においては、排水用パイプ部を、埋設配管連結枡の立設水槽部の上端開口部から挿入垂下して立設水槽部内に配設する構成を簡易に設計実現可能となり、しかも、排水用パイプ部の上部であって前記立設水槽部外の地上に露出する部分に吐出口として若しくは排出管と連結する連結部として前記流出部を設けたから、埋設配管連結枡内の余剰溜水を流入部，排水用パイプ部及び前記流出部を介して地上へと汲み上げ排水する構成を簡易に設計実現可能となると共に、排出管を連結する場合には、地上で連結できるのでこの排出管の取り回しを容易に行えることになるなど、一層実用性に秀れた構成の埋設配管接続用排水装置となる。
【００１８】
また、請求項３記載の発明においては、確実に排水用パイプ部内で汲み上げ力を生じさせて、流入部より排水用パイプ部内に流入する余剰溜水を流出部へと汲み上げ排水する前記汲み上げ機構を簡易に設計実現可能となる一層実用性に秀れた構成の埋設配管接続用排水装置となる。
【００１９】
また、請求項４記載の発明においては、立設水槽部内に挿入した排水用パイプ部を、確実に立設保持する前記保持部を簡易に設計実現可能となる一層実用性に秀れた構成の埋設配管接続用排水装置となる。
【００２０】
また、請求項５記載の発明においては、汲み上げ始動センサーの水位検知と、汲み上げ制御機構とにより埋設配管連結枡内の排水を自動制御可能となる一層実用性に秀れた構成の埋設配管接続用排水装置となる。
【００２１】
また、請求項６記載の発明においては、前記埋設配管連結枡内の水位に応じて自動的に汲み上げ機構の開始制御と停止制御とを行うので、汲み上げ機構の作動に無駄がなく、低燃費運転が可能となる一層実用性に秀れた構成の埋設配管接続用排水装置となる。
【００２２】
また、請求項７記載の発明においては、汲み上げ機構の開始水位と停止水位とを任意に設定できるので、状況に応じた最適な運転条件を設定可能となる一層実用性に秀れた構成の埋設配管接続用排水装置となる。
【００２３】
また、請求項８記載の発明においては、立設水槽部の上部開口部を閉塞蓋で閉塞できるため、汚臭の発生を可及的に防止できると共に、この閉塞蓋の上部に位置する排水用パイプ部の上部に前記流出部を設けるために、立設水槽部外の地上に露出する部分に流出部を設ける構成を簡易に設計実現可能となり、しかも、駆動源を汚水中へ浸漬する構造ではなく、排水用パイプ部の上部若しくは排水用パイプ部の上部側部であって閉塞蓋の上方若しくは側部に前記駆動源を配設したため、駆動源に高度な防水構造は不要でコスト安に設計実現可能となり、その上、特に閉塞蓋の上方へ駆動源を配設する構成とすることで、駆動源を地上に露出状態として本装置を設置することが可能となるため、駆動源を地中に挿入するための掘り下げ作業などは不要で設置作業性に秀れ、且つ駆動源の調子が悪い時などに本装置を設置したままで駆動源を交換することも可能となるなど、極めて実用性に秀れた埋設配管接続用排水装置となる。
【発明を実施するための最良の形態】
【００２４】
好適と考える本発明の実施形態（発明をどのように実施するか）を、図面に基づいて本発明の作用を示して簡単に説明する。
【００２５】
埋設配管連結枡４の排水部３と連設する配管１が損傷した場合に、本装置を使用してこの配管１の修復を行う。
【００２６】
具体的には、例えば、先ず、埋設配管連結枡４の立設水槽部５内に地上から本装置の排水用パイプ部７を挿入し、保持部８によりこの排水用パイプ部７を立設水槽部５内に立設保持することで、埋設配管連結枡４に対し本装置を設置する。
【００２７】
次いで、排水部３を適宜な手段により閉塞してこの排水部３から配管１への排水を停止（阻止）し、この配管１の修復を開始する。
【００２８】
尚、排水部３を閉塞して排水停止状態とした後、本装置を埋設配管連結枡４に対し設置しても良い。
【００２９】
この排水停止状態で、埋設配管連結枡４内に余剰溜水６が溜まった場合には、駆動源12により汲み上げ機構11を駆動することで、排水用パイプ部７下部の溜水流入部９から余剰溜水６を排水用パイプ部７内に流入させて、この排水用パイプ部７内に流入する埋設配管連結枡４内の余剰溜水６を上部の流出部10へと汲み上げ排出することができる。
【００３０】
従って、例えば、流出部10を排水管と連結するなどして余剰溜水６を流出部10より所定の排水箇所へと排水できるようにしておけば、配管１の修復中に埋設配管連結枡４内に余剰溜水６が溜まりすぎて汚水が地上などへ溢れ出てしまうことを防止できる上、この修復中に家庭からの排水も問題なく行えることになる。
【００３１】
しかも、本発明は、単に地上から埋設配管連結枡４内に排水用パイプ部７を挿入して保持部８で立設水槽部５内に立設保持するだけで設置作業が完了するので、既存の汚水枡などに簡単に設置して配管補修作業を行うことができる。
【００３２】
また、修復完了後は、単に本装置を上方へ引き上げて埋設配管連結枡４（立設水槽部５内）から排水用パイプ部７を挿脱するだけで、簡単に本装置を撤去できる。
【００３３】
また、例えば、排水用パイプ部７の上部であって前記立設水槽部５外の地上に露出する部分に吐出口として若しくは排出管と連結する連結部として前記流出部10を設ければ、別途吐出口を設けずとも良いため、一層実用的となり、また、流出部10（連結部）は、排水管との連結が容易に行われることになると共に、連結した排水管を地上で容易に取り回し可能となるなど、一層実用的となる。
【実施例１】
【００３４】
本発明の具体的な実施例１について図１〜図４に基づいて説明する。
【００３５】
本実施例は、地中に埋設した配管１と夫々連設する入水部２と排水部３とを有する接続枡や汚水枡などの埋設配管連結枡４の立設水槽部５内に地上から挿入してこの埋設配管連結枡４内の余剰溜水６を地上へ汲み上げ排水する埋設配管接続用排水装置に係るものであって、前記立設水槽部５に挿入する排水用パイプ部７と、この排水用パイプ部７を前記立設水槽部５内に立設保持する保持部８と、前記排水用パイプ部７の下部に設けた溜水流入部９と、前記排水用パイプ部７の上部に設けた溜水流出部10と、前記流入部９から前記排水用パイプ部７内に流入する前記埋設配管連結枡４内の余剰溜水６を前記流出部10へ汲み上げ排出する汲み上げ機構11と、この汲み上げ機構11を駆動する駆動源12とから成る構成としている。
【００３６】
以下、具体的に説明すると、本実施例の排水用パイプ部７は、図１〜図３に示すように、埋設配管連結枡４よりも長さがあり、且つ埋設配管連結枡４の立設水槽部５の内径より径小のパイプを採用して構成し、この排水用パイプ部７を立設水槽部５内に容易に挿入でき、この際、排水用パイプ部７の上端部が立設水槽部５の上部開口部より露出するように設けている。
【００３７】
また、この排水用パイプ部７の上部に前記立設水槽部５の上部開口部を閉塞する閉塞蓋17を設けて、この排水用パイプ部７を前記立設水槽部５に挿入配設した際、この閉塞蓋17が立設水槽部５の上部開口部を閉塞する構成としている。
【００３８】
更に詳しくは、閉塞蓋17は、立設水槽部５の上部開口部の外径（埋設配管連結枡４の外径）よりもやや径大となる外径寸法の円板体の周縁部に垂下部を周設して構成したもので、この閉塞蓋17は立設水槽部５の上部開口部に対し安定的に被嵌閉塞し得、これにより汚臭や汚水を外部へ漏れにくくしている。
【００３９】
また、閉塞蓋17の中心部に取付孔を設け、この取付孔に前記排水用パイプ部７を挿入配設した構成としている。
【００４０】
また、この排水用パイプ部７は、上端部と下端部とを閉塞した構成とし、この下端部の閉塞底面を立設水槽部５内の底面に載置し得るようにしている。
【００４１】
本実施例の保持部８は、排水用パイプ部７の外周に設けている。
【００４２】
更に詳しくは、図２，図３に示すように、平面視ドーナツ形の円板を前記保持部８として排水用パイプ部７の外周に被嵌装着し、この保持部８が前記立設水槽部５（の内周面）と前記排水用パイプ部７（の外周面）との間に介在して、立設水槽部５内に挿入した排水用パイプ部７を立設保持する構成としている。
【００４３】
また、この保持部８は、立設水槽部５の内径寸法よりやや小径な外径寸法を有する構成として、この保持部８を装着したままでも排水用パイプ部７を立設水槽部５内へ挿入し易くすると共に、立設水槽部５内で排水用パイプ部７がガタつきにくい状態で保持されるように構成している。
【００４４】
また、本実施例では、排水用パイプ部７の上下部に各一個ずつ保持部８を被嵌し、この上下二箇所の保持部８により立設水槽部５内に排水用パイプ部７を安定的に立設保持し得るように構成している。
【００４５】
本実施例の溜水流入部９は、図１〜図３に示すように、前記排水用パイプ部７の下端部寄りの側面を貫通開口形成して構成し、この流入部９を介して排水用パイプ部７の内部と外部とが連通するように設け、排水用パイプ部７の閉塞底面を立設水槽部５内底面に載置した状態でもこの側方に開口する流入部９から排水用パイプ部７内に良好に余剰溜水６が流入する構成としている。
【００４６】
本実施例の溜水流出部10は、前記閉塞蓋17の上部に位置する排水用パイプ部７の上部であって前記立設水槽部５外の地上に露出する部分に、吐出口として若しくは排出管と連結する連結部として設けている。
【００４７】
更に詳しくは、図１〜図３に示すように、排水用パイプ部７の上部に、この上部側面から斜め下方向へ向けて分岐管部を突設し、この分岐管部が吐出口として機能する前記流入部10を構成している。この構成は、例えば、斜設分岐管部を備えた三方向分岐タイプの分岐継手管70を排水用パイプ７の上部に連結することで容易に達成できる。
【００４８】
また、この流入部10を構成する分岐管部の突出先端部を径小に形成し、この径小部を連結部としてホースや樹脂パイプなどの排出管を被嵌連結し得るように構成している。即ち、本実施例の流出部10は、吐出管としても連結部としても機能する構成としている。
【００４９】
本実施例の汲み上げ機構11は、図３に示すように、前記排水用パイプ部７内に前記駆動源12より回転駆動する回転軸13を設け、この回転軸13に汲み上げ回転羽根14を設けて排水用パイプ部７内に配設し、この回転軸13の回転による汲み上げ回転羽根14の回転によって排水用パイプ部７内で汲み上げ力を生じさせて前記流入部９より排水用パイプ部７内に流入する余剰溜水６を前記流出部10へ汲み上げ排水するように構成している。
【００５０】
更に詳しくは、回転軸13は、排水用パイプ部７の上端閉塞部と下端閉塞部とに軸支し、この回転軸13には、螺旋状の回転羽根14が回転軸13の軸長さ方向に沿って上端部から下端部まで周設してある。従って、この回転羽根14の回転によって排水用パイプ部７内下端部の前記流入部９より排水用パイプ部７内に流入する余剰溜水６を上端部にまで汲み上げて前記流出部10へ汲み上げ排水し得るように構成している。即ち、本実施例では、スクリューポンプ方式の汲み上げ機構11を構成しているもので、このスクリューポンプ方式によれば、回転羽根14の面積が広いためにこの回転羽根14にかかる負荷が少なく、耐久性に秀れる。
【００５１】
本実施例の駆動源12は、電動モータ12を採用している。
【００５２】
また、このモータ12は、排水用パイプ部７の上部側部であって閉塞蓋17の上方に配設している。
【００５３】
そして、図４に示すように、このモータ12の上方に突出する駆動軸12Ａにベルトプーリ18を固定する一方、前記回転軸13の排水用パイプ部７の上端部より突出する上端部に伝達プーリ19を固定し、このベルトプーリ18と伝達プーリ19とに無端ベルト20を装着することでモータ12の回動力が回転軸13に伝達され、汲み上げ回転羽根14が回転する（汲み上げ機構11が作動する）構成としている。図中符号24は無端ベルト20による動力伝達構造部分をカバーするカバー体、25は排水用パイプ部７の上部側部にモータ12を取付固定するための取付部材である。
【００５４】
また、本実施例では、前記埋設配管連結枡４若しくは埋設配管連結枡４の立設水槽部５に前記余剰溜水６の水位を検知する汲み上げ始動センサー15を設け、この汲み上げ始動センサー15により余剰溜水６の水位が所定高さ以上となったことを検知した際に前記汲み上げ機構11を駆動して汲み上げ排水を開始する汲み上げ制御機構を備えている。
【００５５】
また、前記埋設配管連結枡４若しくは埋設配管連結枡４の立設水槽部５の前記汲み上げ始動センサー15より下方に、前記余剰溜水６の水位を検知する汲み上げ停止センサー16を設け、この汲み上げ停止センサー16により余剰溜水６の水位が所定高さ以下となったことを検知した際に前記汲み上げ機構11の駆動を停止して汲み上げ排水を停止するように前記汲み上げ制御機構を構成している。
【００５６】
また、前記汲み上げ始動センサー15若しくは汲み上げ停止センサー16は、上下方向に移動調整自在に配設している。
【００５７】
更に詳しくは、図３に示すように、排水用パイプ部７の上下部に配設した前記保持部８に、上部の保持部８には汲み上げ始動センサー15を付設し、下部の保持部８には汲み上げ停止センサー16を付設している。
【００５８】
そして、この各保持部８は、本実施例では排水用パイプ部７に対して上下動自在に装着してある。即ち、この各保持部８の位置を排水用パイプ部７に対して上下に移動させることで、汲み上げ始動センサー15と汲み上げ停止センサー16の位置を任意に上下方向に移動できる構成としている。
【００５９】
次に、本実施例を用いて行う、埋設用配管連結枡４の排水部３に連設された配管１の補修方法を説明する。
【００６０】
埋設配管連結枡４の立設水槽部５内に地上から本装置の排水用パイプ部７を挿入し、この排水用パイプ部７の下端閉塞部（閉塞底面）を立設水槽部５内の底面に載置すると共に、立設水槽部５の上部開口部を閉塞蓋17で閉塞し、上下の各保持部８によりこの排水用パイプ部７を立設水槽部５内に立設保持することで、埋設配管連結枡４に対し本装置を設置する。
【００６１】
また、本実施例では、排水用パイプ部７に沿って上下の保持部８にチューブ22を装着し、このチューブ22の下端には風船21が装着してあって、排水用パイプ部７を立設水槽部５内に挿入して立設保持した際に、この風船21を排水部３に配設し得るようにしてある。
【００６２】
そして、この排水部３に配設した風船21内にチューブ22を介して空気を送り込むことにより風船21を膨ませて排水部３を閉塞し、この排水部３に連設した配管１への排水を阻止する構成としている。
【００６３】
この排水停止状態で、配管１の修復を行う。
【００６４】
この際、埋設配管連結枡４内に余剰溜水６が溜まり、立設水槽部５内で設定水位（汲み上げ始動センサー15の設定位置）まで水位が上昇すると、汲み上げ始動センサー15がこれを検知し、制御機構により自動的に駆動源12が駆動制御され、汲み上げ機構11を駆動開始する。
【００６５】
すると、汲み上げ回転羽根14により排水用パイプ部７下部の溜水流入部９から余剰溜水６が排水用パイプ部７内に流入し、この排水用パイプ部７内に流入する埋設配管連結枡４内の余剰溜水６を上部の流出部10へと汲み上げ排出することができる。
【００６６】
従って、例えば、流出部10を排水管と連結するなどして流出部10より所定の排水箇所へと排水できるようにしておけば、配管１の修復中に埋設配管連結枡４から汚水が溢れ出てしまうことを確実に防止できる上、この修復中に家庭からの排水も問題なく行えることになる。
【００６７】
この余剰溜水６の排水により立設水槽部５内の水位が汲み上げ停止センサー16付近まで低下すると、汲み上げ停止センサー16がこれを検知し、制御機構により自動的に駆動源12が停止制御され、汲み上げ機構11が駆動停止する。
【００６８】
このように、立設水槽部５内の水位に応じて汲み上げ機構11の駆動・停止が自動制御され、この作動が配管１の修復完了まで継続するので、例えば、流出部10を排水管と連結するなどして余剰溜水６を流出部10より所定の排水箇所へと排水できるようにしておけば、配管１の修復中に埋設配管連結枡４内に余剰溜水６が溜まりすぎて汚水が地上などへ溢れ出てしまうことを防止できる上、この修復中に家庭からの排水も問題なく行えることになる。
【００６９】
修復作業終了後は、単に埋設配管連結枡４から本装置を引き上げて排水用パイプ部７を挿脱するだけで撤去作業が完了する。
【実施例２】
【００７０】
本発明の具体的な実施例２について図５に基づいて説明する。
【００７１】
本実施例は、前記実施例１において、前記排水用パイプ部７の内部上部に前記汲み上げ機構11にて汲み上げた立設水槽部５内の余剰溜水６を前記流出部10へ圧送する圧送手段23を設けた場合である。
【００７２】
圧送手段23は、排水用パイプ部７の上端部を他の部位より径大とする一方、前記回転軸13の上端部にインペラー23Ａを付設し、このインペラー23Ａを排水用パイプ部７の径大上端部内に配設した構成としている。
【００７３】
また、このインペラー23Ａの側部に前記流出部10を水平方向に向けて突設している。
【００７４】
従って、前記動力源12により回転軸13を回転駆動すると、前記汲み上げ回転羽根14と共にこのインペラー23Ａも回転し、汲み上げ回転羽根14により排水用パイプ部７の径大上端部まで汲み上げられた余剰溜水６がインペラー23Ａの回転によって側方の流出部10から圧送排出される前記圧送手段23を構成している。
【００７５】
このように構成した本実施例は、流出部10よりも高い位置に余剰溜水６を排水したい場合など、高い排水能力が必要となる場面で有効な構成である。
【００７６】
その他の構成は、前記実施例１と同様である。
【実施例３】
【００７７】
本発明の具体的な実施例３について図６に基づいて説明する。
【００７８】
本実施例は、前記実施例１において、駆動源（モータ）12を排水用パイプ部７の上端部に設けた場合である。
【００７９】
更に詳しくは、排水用パイプ部７内の回転軸13と、モータ12の駆動軸12Ａとが同一直線上に位置するようにモータ12を排水用パイプ部７の上端部に付設している。
【００８０】
図中符号26は回転軸13とモータ12の駆動軸12Ａとを接続する接続具である。
【００８１】
その他の構成は、前記実施例１と同様である。
【００８２】
尚、本発明は、実施例１〜３に限られるものではなく、各構成要件の具体的構成は適宜設計し得るものである。
【図面の簡単な説明】
【００８３】
【図１】実施例１を示す保持部，センサー，閉塞蓋を省略した斜視図である。
【図２】実施例１の使用状態を示す説明図である。
【図３】図２の説明断面図である。
【図４】実施例１の汲み上げ機構の駆動構造を示す部分拡大説明図である。
【図５】実施例２の使用状態を示す説明断面図である。
【図６】実施例３の要部を示す部分拡大説明図である。
【符号の説明】
【００８４】
１  配管
２  入水部
３  排水部
４  埋設配管連結枡
５  立設水槽部
６  余剰溜水
７  排水用パイプ部
８  保持部
９  流入部
10  流出部
11  汲み上げ機構
12  駆動源
13  回転軸
14  汲み上げ回転羽根
15  汲み上げ始動センサー
16  汲み上げ停止センサー
17  閉塞蓋
【図１】
2006342568.tif 000003
【図２】
2006342568.tif 000004
【図３】
2006342568.tif 000005
【図４】
2006342568.tif 000006
【図５】
2006342568.tif 000007
【図６】
2006342568.tif 000008